(57)【要約】【課題】ＭＴＣ端末に向けたページングメッセージにおいて、信号量の削減を可能にする技術を提供することを目的とする。【解決手段】基地局と通信するユーザ装置であって、前記基地局から、特定のユーザ装置に対応づけられていない情報のみを含むページングメッセージが格納される第一の無線リソースと、呼出し情報のみを含むページングメッセージが格納される第二の無線リソースとを示す無線リソース情報を取得する取得手段と、前記第一の無線リソースをモニタすることで、前記基地局から、前記ページングメッセージに含まれる前記特定のユーザ装置に対応づけられていない情報を受信し、前記第二の無線リソースをモニタすることで、前記基地局から、前記ページングメッセージに含まれる前記呼出し情報を受信する受信手段と、を有するユーザ装置を提供する。【選択図】図４
2016219926.tif 000002
【特許請求の範囲】
【請求項１】
基地局と通信するユーザ装置であって、
前記基地局から、特定のユーザ装置に対応づけられていない情報のみを含むページングメッセージが格納される第一の無線リソースと、呼出し情報のみを含むページングメッセージが格納される第二の無線リソースとを示す無線リソース情報を取得する取得手段と、
前記第一の無線リソースをモニタすることで、前記基地局から、前記ページングメッセージに含まれる前記特定のユーザ装置に対応づけられていない情報を受信し、前記第二の無線リソースをモニタすることで、前記基地局から、前記ページングメッセージに含まれる前記呼出し情報を受信する受信手段と、
を有するユーザ装置。
【請求項２】
前記第一の無線リソースは、前記第二の無線リソースとは異なるサブフレームに割り当てられている、請求項１に記載のユーザ装置。
【請求項３】
前記第一の無線リソースと前記第二の無線リソースとは、当該ユーザ装置が属するグループごとに異なるサブフレームに割り当てられている、請求項１又は２に記載のユーザ装置。
【請求項４】
前記無線リソース情報は、前記特定のユーザ装置に対応づけられていない情報の最大データサイズに対応する第一のトランスポートブロックサイズを含み、
前記受信手段は、前記特定のユーザ装置に対応づけられていない情報のみを含むページングメッセージを、前記第一のトランスポートブロックサイズを用いてデコードする、請求項１乃至３のいずれか一項に記載のユーザ装置。
【請求項５】
前記無線リソース情報は、前記呼出し情報に最大桁数のＩＭＳＩが格納される場合に対応する第二のトランスポートブロックサイズと、前記呼出し情報にＳ−ＴＭＳＩが格納される場合における第三のトランスポートブロックサイズとを含み、
前記受信手段は、当該ユーザ装置のＵＥＩＤがＩＭＳＩである場合、前記第二のトランスポートブロックサイズを用いて前記呼出し情報のみを含むページングメッセージをデコードし、当該ユーザ装置のＵＥＩＤがＳ−ＴＭＳＩである場合、前記第三のトランスポートブロックサイズを用いて前記呼出し情報のみを含むページングメッセージをデコードする、請求項１乃至４のいずれか一項に記載のユーザ装置。
【請求項６】
前記受信手段は、前記第二のトランスポートブロックサイズを用いて前記ページングメッセージのデコードに失敗した場合、前記第三のトランスポートブロックサイズを用いて前記呼出し情報のみを含むページングメッセージをデコードし、前記第三のトランスポートブロックサイズを用いて前記呼出し情報のみを含むページングメッセージのデコードに失敗した場合、前記第二のトランスポートブロックサイズを用いて前記呼出し情報のみを含むページングメッセージをデコードする、請求項５に記載のユーザ装置。
【請求項７】
前記受信手段は、当該ユーザ装置のＵＥＩＤが最大桁数未満のＩＭＳＩである場合、前記第二のトランスポートブロックサイズと、当該ユーザ装置のＩＭＳＩの桁数とを用いて前記呼出し情報のみを含むページングメッセージのトランスポートブロックサイズを推測し、推測したトランスポートブロックサイズを用いて前記呼出し情報のみを含むページングメッセージをデコードする、請求項６に記載のユーザ装置。
【請求項８】
ユーザ装置と通信する基地局であって、
報知情報を用いて、特定のユーザ装置に対応づけられていない情報のみを含むページングメッセージを格納するための第一の無線リソースと、呼出し情報のみを含むページングメッセージが格納される第二の無線リソースとを示す無線リソース情報を送信する報知情報送信手段と、
前記第一の無線リソースに、前記特定のユーザ装置に対応づけられていない情報を含むページングメッセージを格納し、前記第二の無線リソースに、前記呼出し情報を含むページングメッセージを格納して前記ユーザ装置に送信するページング送信手段と、
を有する基地局。
【請求項９】
基地局と通信するユーザ装置が行うページングメッセージ受信方法であって、
前記基地局から、特定のユーザ装置に対応づけられていない情報のみを含むページングメッセージが格納される第一の無線リソースと、呼出し情報のみを含むページングメッセージが格納される第二の無線リソースとを示す無線リソース情報を取得するステップと、
前記第一の無線リソースをモニタすることで、前記基地局から、前記ページングメッセージに含まれる前記特定のユーザ装置に対応づけられていない情報を受信し、前記第二の無線リソースをモニタすることで、前記基地局から、前記ページングメッセージに含まれる前記呼出し情報を受信するステップと、
を有するページングメッセージ受信方法。
【請求項１０】
ユーザ装置と通信する基地局が行うページングメッセージ送信方法であって、
報知情報を用いて、特定のユーザ装置に対応づけられていない情報のみを含むページングメッセージを格納するための第一の無線リソースと、呼出し情報のみを含むページングメッセージが格納される第二の無線リソースとを示す無線リソース情報を送信する報知情報送信ステップと、
前記第一の無線リソースに、前記特定のユーザ装置に対応づけられていない情報を含むページングメッセージを格納し、前記第二の無線リソースに、前記呼出し情報を含むページングメッセージを格納して前記ユーザ装置に送信するページング送信ステップと、
を有するページングメッセージ送信方法。
【発明の詳細な説明】
【技術分野】
【０００１】
本発明は、ユーザ装置、基地局、ページングメッセージ受信方法及びページングメッセージ送信方法に関する。
【背景技術】
【０００２】
ＬＴＥ（Long Term Evolution）を用いた移動通信システムでは、ページングメッセージを用いて、ユーザ装置の呼出しを行っている。１つのページングメッセージでは、最大１６のユーザ装置を呼出すことができる。呼出すユーザ装置を指定するための情報は、ページングレコード（Paging Record）と呼ばれており、１つのページングメッセージに、最大１６のページングレコードを格納することができる。
【０００３】
また、ＬＴＥでは、ページングメッセージを用いて、報知情報が変更されたことを示すＳＩ（System Information）ｍｏｄｉｆｉｃａｔｉｏｎ、ＭＴＣ端末用のアクセス規制パラメータが変更されたことを示すＥＡＢ（Extended Access Barring）  ｐａｒａｍｅｔｅｒ  ｍｏｄｉｆｉｃａｔｉｏｎ、緊急地震速報等に用いられるＥＴＷＳ（Earthquake and Tsunami Warning System）／ＣＭＡＳ（Commercial Mobile Alert System）  Ｉｎｄｉｃａｔｉｏｎをユーザ装置に通知することができる。なお、ＳＩ／ＥＡＢ  ｍｏｄｉｆｉｃａｔｉｏｎ及びＥＴＷＳ／ＣＭＡＳ  Ｉｎｄｉｃａｔｉｏｎは、特定のユーザ装置に対応づけられる情報ではないため、在圏中のすべてのユーザ装置が受信することができる。
【０００４】
ここで、現在３ＧＰＰ（3rd Generation Partnership Project）では、例えばスマートメータ等に用いられるＭＴＣ（Machine Type Communication）端末において、比較的安価な端末（ＬＣ−ＭＴＣ：Low Cost MTC）を実現するための通信仕様が検討されている。
【０００５】
ＬＣ−ＭＴＣ端末は、無線通信に用いられるバンド幅のうち、ある時間帯においては特定の１．４ＭＨｚ（約６ＰＲＢ：Physical Resource Blockに相当）のみで通信を行うことが想定されており、同時に受信可能なデータサイズが限定される可能性がある。このため、ＬＣ−ＭＴＣ端末に向けたページングメッセージには、１つのページングメッセージで１つのユーザ装置のみを呼出すようにする（すなわち、１つのページングレコードのみを格納する）ことが検討されている。
【０００６】
また、従来のＬＴＥでは、ページングメッセージはＰＤＳＣＨ（Physical Downlink Shared Channel）に格納され、ページングメッセージが格納される無線リソースはＰＤＣＣＨ（Physical Downlink Control Channel）を用いて指定される。一方、ＬＣ−ＭＴＣ端末に向けたページングメッセージについては、ＰＤＣＣＨ又はＥＰＤＣＣＨ（Enhanced PDCCH）を用いずに固定的に無線リソースを割当てるようにすることが検討されている。  また、ＬＣ−ＭＴＣ端末に向けたページングメッセージが格納される無線リソースを周波数領域で分割し、ＬＣ−ＭＴＣ端末ごとに個別に無線リソースを割り当てるようにすることが検討されている。
【先行技術文献】
【非特許文献】
【０００７】
【非特許文献１】３ＧＰＰ  ＴＳ３６．３３１  Ｖ１２．５．０（２０１５−０３）
【発明の概要】
【発明が解決しようとする課題】
【０００８】
上述の通り、ＬＣ−ＭＴＣ端末に対して、ページングメッセージの無線リソースを、ＰＤＣＣＨ又はＥＰＤＣＣＨを用いずにＬＣ−ＭＴＣ端末ごとに個別に割当てることが検討されている。このような条件下でページングメッセージを受信する場合、ＬＣ−ＭＴＣ端末は、ページングメッセージが送信されるサブフレームの位置を指定する情報（Paging Occasion）と、周波数方向の位置と、トランスポートブロックサイズ（ＴＢＳ：Transport Block Size）と、変調方式（MCS：Modulation and Coding Scheme）を予め把握しておく必要がある。
【０００９】
また、ＬＣ−ＭＴＣ端末に向けたページングメッセージが格納される無線リソースを、ＬＣ−ＭＴＣ端末ごとに個別に割り当てるようにした場合、ページングメッセージにＳＩ／ＥＡＢ  ｍｏｄｉｆｉｃａｔｉｏｎ及びＥＴＷＳ／ＣＭＡＳ  Ｉｎｄｉｃａｔｉｏｎを含めようとすると、ＬＣ−ＭＴＣ端末ごとに割り当てられるすべてのページングメッセージにＳＩ／ＥＡＢ  ｍｏｄｉｆｉｃａｔｉｏｎ及びＥＴＷＳ／ＣＭＡＳ  Ｉｎｄｉｃａｔｉｏｎを重複して含める必要があり、ページングメッセージの信号量が増加してしまうという問題がある。
【００１０】
更に、ＳＩ／ＥＡＢ  ｍｏｄｉｆｉｃａｔｉｏｎ及びＥＴＷＳ／ＣＭＡＳ  Ｉｎｄｉｃａｔｉｏｎを含むページングメッセージのデータサイズは、ｍｏｄｉｆｉｃａｔｉｏｎ／ｉｎｄｉｃａｔｉｏｎにより可変である。従って、ユーザ装置にページングメッセージを正しくデコードさせるようにするために、基地局は、ＬＣ−ＭＴＣ端末が予め把握しているＴＢＳでページングメッセージを送信する必要がある。そのため、基地局は、当該ＴＢＳサイズにあわせてページングメッセージにパディングを行う必要があり、更に信号量が増加してしまうという問題がある。
【００１１】
開示の技術は上記に鑑みてなされたものであって、ＭＴＣ端末に向けたページングメッセージにおいて、信号量の削減を可能にする技術を提供することを目的とする。
【課題を解決するための手段】
【００１２】
開示の技術のユーザ装置は、基地局と通信するユーザ装置であって、前記基地局から、特定のユーザ装置に対応づけられていない情報のみを含むページングメッセージが格納される第一の無線リソースと、呼出し情報のみを含むページングメッセージが格納される第二の無線リソースとを示す無線リソース情報を取得する取得手段と、前記第一の無線リソースをモニタすることで、前記基地局から、前記ページングメッセージに含まれる前記特定のユーザ装置に対応づけられていない情報を受信し、前記第二の無線リソースをモニタすることで、前記基地局から、前記ページングメッセージに含まれる前記呼出し情報を受信する受信手段と、を有する。
【発明の効果】
【００１３】
開示の技術によれば、ＭＴＣ端末に向けたページングメッセージにおいて、信号量の削減を可能にする技術が提供される。
【図面の簡単な説明】
【００１４】
【図１】実施の形態に係る移動通信システムの構成例を示す図である。
【図２】実施の形態に係る基地局の機能構成の一例を示す図である。
【図３】実施の形態に係るユーザ装置の機能構成の一例を示す図である。
【図４】リソースマッピング方法の一例を示す図である。
【図５】実施の形態に係る処理手順の一例を示すシーケンス図である。
【図６】デコード処理の処理手順の一例を示すフローチャートである。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る移動通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２又は１３以降に対応する通信方式も含む広い意味で使用する。
【００１６】
なお、以下の説明において、ユーザ装置は、ＬＣ−ＭＴＣ端末であることを想定しているがこれに限られない。
【００１７】
＜概要＞
図１は、実施の形態に係る移動通信システムの構成例を示す図である。図１に示すように、本実施の形態における移動通信システムは、基地局ｅＮＢとユーザ装置ＵＥとを有する。図１には、１つのユーザ装置ＵＥが図示されているが、図示の便宜上であり、複数のユーザ装置ＵＥが含まれていてもよい。また、図１には、１つのセルが図示されているが、図示の便宜上であり、基地局ｅＮＢは、複数のセルを形成するようにしてもよい。
【００１８】
基地局ｅＮＢは、無線を通じてユーザ装置ＵＥとの間で通信を行う。基地局ｅＮＢは、プロセッサなどのＣＰＵ、ＲＯＭ、ＲＡＭ又はフラッシュメモリなどのメモリ装置、ユーザ装置ＵＥ等と通信するためのアンテナ、隣接する基地局等と通信するための通信インタフェース装置などのハードウェアリソースにより構成される。基地局ｅＮＢの各機能及び処理は、メモリ装置に格納されているデータやプログラムをプロセッサが処理又は実行することによって実現されてもよい。しかしながら、基地局ｅＮＢは、上述したハードウェア構成に限定されず、他の何れか適切なハードウェア構成を有してもよい。
【００１９】
ユーザ装置ＵＥは、無線を通じて基地局ｅＮＢ及び他のユーザ装置ＵＥ等と通信を行う機能を有する。ユーザ装置ＵＥは、例えば、携帯電話、スマートフォン、タブレット、モバイルルータ、ウェアラブル端末などである。ユーザ装置ＵＥは、通信機能を有する機器であれば、どのようなユーザ装置であってもよい。ユーザ装置ＵＥは、プロセッサなどのＣＰＵ、ＲＯＭ、ＲＡＭ又はフラッシュメモリなどのメモリ装置、基地局ｅＮＢと通信するためのアンテナ、ＲＦ（Radio Frequency）装置などのハードウェアリソースにより構成される。ユーザ装置ＵＥの各機能及び処理は、メモリ装置に格納されているデータやプログラムをプロセッサが処理又は実行することによって実現されてもよい。しかしながら、ユーザ装置ＵＥは、上述したハードウェア構成に限定されず、他の何れか適切なハードウェア構成を有してもよい。
【００２０】
本実施の形態において、基地局ｅＮＢは、ページングメッセージのうち特定のユーザ装置を呼出すための情報（以下、「呼出し情報」という）が格納される無線リソースと、ページングメッセージのうち特定のユーザ装置に対応づけられていない情報（以下、「不特定ユーザ装置向け情報」という）が格納される無線リソースを示す情報を、報知情報を通じてユーザ装置ＵＥに通知するようにする。なお、呼出し情報とは、具体的には、ページングレコードである。また、不特定ユーザ装置向け情報とは、具体的には、ＳＩ  ｍｏｄｉｆｉｃａｔｉｏｎ、ＥＡＢ  ｐａｒａｍｅｔｅｒ  ｍｏｄｉｆｉｃａｔｉｏｎ、ＥＴＷＳ  Ｉｎｄｉｃａｔｉｏｎ又は／及びＣＭＡＳ  Ｉｎｄｉｃａｔｉｏｎである。
【００２１】
また、基地局ｅＮＢは、ユーザ装置ＵＥに向けてページングメッセージを送信する場合、ページングメッセージのうち呼出し情報が格納される無線リソースと、ページングメッセージのうち不特定ユーザ装置向け情報が格納される無線リソースとが、所定のユーザ装置ＵＥから見た場合に異なるサブフレームになるようにする。前述の通り、ＬＣ−ＭＴＣ端末は、ある時間帯においては特定の１．４ＭＨｚのみで通信を行うことが想定されている。従って、呼出し情報が格納されるリソースブロックと不特定ユーザ装置向け情報が格納されるリソースブロックとが同じサブフレームの異なる周波数に割り当てられた場合、ＬＣ−ＭＴＣ端末は、これらのリソースブロックを同時に受信することが困難になる可能性があるためである。
【００２２】
＜機能構成＞
（基地局）
図２は、実施の形態に係る基地局の機能構成の一例を示す図である。図２に示すように、基地局ｅＮＢは、信号送信部１１と、信号受信部１２と、報知部１３と、ページング部１４とを有する。なお、図２は、基地局ｅＮＢにおいて本発明の実施の形態に特に関連する機能部のみを示すものであり、少なくともＬＴＥに準拠した動作を行うための図示しない機能も有するものである。また、図２に示す機能構成は一例に過ぎない。本実施の形態に係る動作を実行できるのであれば、機能区分や機能部の名称はどのようなものでもよい。
【００２３】
信号送信部１１は、基地局ｅＮＢから送信されるべき上位のレイヤの信号から、物理レイヤの各種信号を生成し、無線送信する機能を含む。信号受信部１２は、ユーザ装置ＵＥから各種の信号を無線受信し、受信した物理レイヤの信号からより上位のレイヤの信号を取得する機能を含む。
【００２４】
報知部１３は、ユーザ装置ＵＥに向けて報知情報を送信する。報知情報には、ページングメッセージのうち呼出し情報が格納される無線リソースと、ページングメッセージのうち不特定ユーザ装置向け情報が格納される無線リソースとを示す情報（以下、まとめて「無線リソース情報」という）が含まれる。
【００２５】
ページング部１４は、ページングメッセージを生成し、生成したページングメッセージを、信号送信部１１を介してユーザ装置ＵＥに送信する。なお、ページング部１４は、ページングメッセージのうち呼出し情報が格納される無線リソースと、ページングメッセージのうち不特定ユーザ装置向け情報が格納される無線リソースとを、所定のユーザ装置ＵＥから見た場合に異なるサブフレームになるように、ページングメッセージを送信する。
【００２６】
また、ページング部１４は、ページングメッセージのＴＢＳを固定サイズにするために、ページングメッセージにパディングを行う（パディングビットを付加する）機能を有する。
【００２７】
（ユーザ装置）
図３は、実施の形態に係るユーザ装置の機能構成の一例を示す図である。図３に示すように、ユーザ装置ＵＥは、信号送信部２１と、信号受信部２２と、報知情報読取部２３と、ページング読取部２４とを有する。なお、図３は、ユーザ装置ＵＥにおいて本発明の実施の形態に特に関連する機能部のみを示すものであり、少なくともＬＴＥに準拠した動作を行うための図示しない機能も有するものである。また、図３に示す機能構成は一例に過ぎない。本実施の形態に係る動作を実行できるのであれば、機能区分や機能部の名称はどのようなものでもよい。
【００２８】
信号送信部２１は、ユーザ装置ＵＥから送信されるべき上位のレイヤの信号から、物理レイヤの各種信号を生成し、無線で送信する機能を含む。
【００２９】
信号受信部２２は、基地局ｅＮＢから各種の信号を無線で受信し、受信した物理レイヤの信号からより上位のレイヤの信号を取得する機能を含む。
【００３０】
報知情報読取部２３は、基地局ｅＮＢから送信される報知情報から、無線リソース情報を読み取る。
【００３１】
ページング読取部２４は、報知情報読取部２３で読み取られた無線リソース情報により指定された無線リソースをモニタすることで、ページングメッセージを受信する。また、受信したページングメッセージに自身向けの呼出し情報が格納されていた場合、又は、不特定ユーザ装置向け情報が格納されていた場合、呼出し情報又は不特定ユーザ装置向け情報を用いて各種処理を行う。
【００３２】
＜処理手順＞
以下、図を用いて実施の形態に係る移動通信システムが行う具体的な処理手順を説明する。
【００３３】
（無線リソース割当て方法について）
本実施の形態では、呼出し情報が格納される無線リソースと、不特定ユーザ装置向け情報が格納される無線リソースとが、別個の無線リソースにマッピングされるようにする。また、あるユーザ装置ＵＥから見た場合に、呼出し情報が格納される無線リソースと、不特定ユーザ装置向け情報が格納される無線リソースとが、異なるサブフレームにマッピングされるようにする。
【００３４】
図４は、リソースマッピング方法の一例を示す図である。図４に示すように、例えば、ユーザ装置ＵＥを複数のグループに分けると共に、呼出し情報が格納される無線リソースと不特定ユーザ装置向け情報が格納される無線リソースとが、当該グループごとに異なる位置にマッピングされるようにする。
【００３５】
図４の例では、ユーザ装置ＵＥを予め２つのグループ（グループ１、グループ２）に分けるようにしておき、グループ１に属するユーザ装置ＵＥに対しては、不特定ユーザ装置向け情報を含むページングメッセージを所定のＰＢＲ（図４のＲ５）にマッピングする。また、呼出し情報を含むページングメッセージを、不特定ユーザ装置向け情報がマッピングされるサブフレームとは異なるサブフレームの所定のＰＲＢ（図４のＲ１、Ｒ３）にマッピングする。
【００３６】
同様に、グループ２に属するユーザ装置ＵＥに対しては、不特定ユーザ装置向け情報を含むページングメッセージを所定のＰＢＲ（図４のＲ２）にマッピングし、呼出し情報を含むページングメッセージを、不特定ユーザ装置向け情報がマッピングされるサブフレームとは異なるサブフレームの所定のＰＲＢ（図４のＲ４、Ｒ６）にマッピングする。
【００３７】
また、本実施の形態において、１つのページングメッセージには１つのユーザ装置ＵＥ向けの呼出し情報（すなわち、１つのページングレコード）が格納されることを想定している。例えば、図４において、Ｒ１に示す範囲には７つのリソースが示されている。この場合、７つのリソースの各々に、１つのページングレコードが格納されているページングメッセージがそれぞれ格納されることを想定している。
【００３８】
なお、図４に示すリソースマッピング方法はあくまで一例であり、これに限られない。例えば、図４の例では、ユーザ装置ＵＥを２つのグループに分けているが、３つ以上のグループに分けるようにしてもよい。また、図４において、不特定ユーザ装置向け情報が格納される無線リソースは６ＰＢＲであるが、所定の１〜５ＰＲＢに不特定ユーザ装置向け情報が格納されるようにしてもよい。また、図４において、不特定ユーザ装置向け情報が格納される無線リソースの両側に呼出し情報が格納される無線リソースがマッピングされているが、必ずしも、不特定ユーザ装置向け情報が格納される無線リソースの両側に呼出し情報が格納される無線リソースがマッピングされるようにしなくてもよい。
【００３９】
なお、図４において、ユーザ装置ＵＥのグループの分け方については、どのような手段が用いられてもよい。例えば、ユーザ装置ＵＥのＵＥＩＤに基づいて、グループを分けるようにしてもよい。
【００４０】
以上、本実施の形態におけるページングメッセージを送信するための無線リソースの割当て方法について説明した。図４のように、呼出し情報が格納される無線リソースと不特定ユーザ装置向け情報が格納される無線リソースとを分離させることで、不特定ユーザ装置向け情報（ＳＩ  ｍｏｄｉｆｉｃａｔｉｏｎ、ＥＡＢ  ｐａｒａｍｅｔｅｒ  ｍｏｄｉｆｉｃａｔｉｏｎ、ＥＴＷＳ  Ｉｎｄｉｃａｔｉｏｎ又は／及びＣＭＡＳ  Ｉｎｄｉｃａｔｉｏｎ）を含むページングメッセージを、ユーザ装置ＵＥごとに重複して送信する必要がなくなり、ページングメッセージの信号量を削減することが可能になる。
【００４１】
（処理シーケンスについて）
図５は、実施の形態に係る処理手順の一例を示すシーケンス図である。図５を用いて、実施の形態において、基地局ｅＮＢから送信されるページングメッセージをユーザ装置ＵＥが受信するまでの処理手順について説明する。
【００４２】
ステップＳ１０１で、基地局ｅＮＢの報知部１３は、報知情報をユーザ装置ＵＥに向けて送信する。報知情報には、無線リソース情報が含まれる。なお、無線リソース情報は、例えば、ＰＣＣＨ−Ｃｏｎｆｉｇｒａｔｉｏｎである。無線リソース情報には、例えば、呼出し情報及び不特定ユーザ装置向け情報を含むページングメッセージが格納される無線リソースのＳＦＮ（System Frame Number）、サブフレーム番号、周波数方向のリソースブロック位置、リソースブロック数、ユーザ装置ＵＥのグループを特定する識別子、呼出し情報を含む１つのページングメッセージのＴＢＳ、及び不特定ユーザ向け情報を含む１つのページングメッセージのＴＢＳが含まれる。
【００４３】
図４を用いて具体的に説明すると、無線リソース情報には、例えば、グループ１に属するユーザ装置ＵＥ向けの呼出し情報を含むページングメッセージがＲ１及びＲ３の場所に示す位置の無線リソースにマッピングされることを示す情報と、グループ２に属するユーザ装置ＵＥ向けの呼出し情報を含むページングメッセージがＲ４及びＲ６に示す位置の無線リソースにマッピングされることを示す情報と、グループ１に属するユーザ装置ＵＥ向けの不特定ユーザ装置向け情報を含むページングメッセージがＲ５に示す位置の無線リソースにマッピングされることを示す情報と、グループ２に属するユーザ装置ＵＥ向けの不特定ユーザ装置向け情報を含むページングメッセージがＲ２に示す位置の無線リソースにマッピングされることを示す情報と、Ｒ２及びＲ４に示す位置のリソースにマッピングされる不特定ユーザ向け情報を含むページングメッセージのＴＢＳ、Ｒ１、Ｒ３、Ｒ４及びＲ５に示す位置の各リソースの各々にマッピングされる呼出し情報を含むページングメッセージのＴＢＳとが含まれる。
【００４４】
ここで、不特定ユーザ向け情報を含む１つのページングメッセージのＴＢＳには、不特定ユーザ向け情報を含むページングメッセージの最大データサイズに対応するＴＢＳが設定されるようにする。ここで、最大データサイズとは、具体的には、ページングメッセージにＳＩ  ｍｏｄｉｆｉｃａｔｉｏｎ、ＥＡＢ  ｐａｒａｍｅｔｅｒ  ｍｏｄｉｆｉｃａｔｉｏｎ、ＥＴＷＳ  Ｉｎｄｉｃａｔｉｏｎ及びＣＭＡＳ  Ｉｎｄｉｃａｔｉｏｎが全て含まれた場合におけるページングメッセージの最大データサイズ（２ｂｙｔｅ）である。
【００４５】
また、呼出し情報を含む１つのページングメッセージのＴＢＳには、ページングレコードに最大桁数（２１桁）のＩＭＳＩ（International Mobile Subscriber Identity）が格納された場合におけるページングメッセージのデータサイズに対応するＴＢＳ、及び、ページングレコードにＳ−ＴＭＳＩ（SAE-Temporary Mobile Subscriber Identity）が格納された場合におけるページングメッセージのデータサイズに対応するＴＢＳの両方を含むようにする。ＬＴＥの仕様によれば、ＩＭＳＩの桁数は、最小で６桁であり最大では２１桁である。従って、ユーザ装置ＵＥごとにＩＭＳＩのデータサイズが異なることになる。一方、Ｓ−ＴＭＳＩの場合、桁数は固定長である。
【００４６】
ユーザ装置ＵＥの報知情報読取部２３は、基地局ｅＮＢから送信される報知情報に含まれる無線リソース情報を読み取る。ユーザ装置ＵＥのページング読取部２４は、無線リソース情報に基づいて、自身が属するグループのページングメッセージがマッピングされている無線リソースのモニタを開始する。
【００４７】
ステップＳ１０２で、基地局ｅＮＢのページング部１４は、呼出し情報を含むページングメッセージを、呼出すユーザ装置ＵＥの数に応じて１又は複数送信する。なお、ステップＳ１０２においてページング部１４が送信する１つのページングメッセージには、前述の通り、１つのユーザ装置ＵＥ向けの呼出し情報が含まれる。また、複数のページングメッセージが送信される場合、複数のページングメッセージの各々は異なるリソースブロックにマッピングされる。図４を用いて具体例を説明すると、例えば、グループ１に属するユーザ装置ＵＥ向けの複数のページングメッセージの各々は、Ｒ１又はＲ３に示す位置の各リソースブロックの各々にそれぞれマッピングされる。同様に、グループ２に属するユーザ装置ＵＥ向けの複数のページングメッセージの各々は、Ｒ４又はＲ６に示す位置の各リソースブロックの各々にそれぞれマッピングされる。
【００４８】
また、ページング部１４は、ステップＳ１０２の処理手順において、呼出し情報（ページングレコード）に格納されるＩＭＳＩの桁数が最大桁数（２１桁）未満である場合、当該ページングメッセージのＴＢＳがＩＭＳＩの最大桁数（２１桁）である場合におけるＴＢＳになるように、ＲＲＣ（Radio Resource Control）に規定されている処理方法に従ってパディング処理を行う（パディングビットを付加する）ようにしてもよい。また、ページング部１４は、ＩＭＳＩの桁数によらずパディング処理を行わないようにしてもよい。
【００４９】
ユーザ装置ＵＥのページング読取部２４は、基地局ｅＮＢから送信された呼出し情報を含むページングメッセージを受信する。ここで、図を用いて、ページング読取部２４がページングメッセージをデコードする際の処理手順を説明する。
【００５０】
図６は、デコード処理の処理手順の一例を示すフローチャートである。図６（ａ）は、呼出し情報にＩＭＳＩが格納される場合に、ページングメッセージのＴＢＳがＩＭＳＩの最大桁数に対応するＴＢＳになるように、基地局ｅＮＢにおいてパディング処理がされている場合の処理手順を示している。
【００５１】
ステップＳ２０１で、ユーザ装置ＵＥのページング読取部２４は、自身のＵＥＩＤが、Ｓ−ＴＭＳＩなのかＩＭＳＩなのかを判断する。Ｓ−ＴＭＳＩの場合、ステップＳ２０２に進み、ＩＭＳＩの場合、ステップＳ２０３に進む。
【００５２】
ステップＳ２０２で、ユーザ装置ＵＥのページング読取部２４は、報知情報の無線リソース情報に含まれている、ページングレコードにＳ−ＴＭＳＩが格納された場合におけるページングメッセージのデータサイズに対応するＴＢＳを用いて、ページングメッセージをデコードする。なお、ユーザ装置ＵＥのページング読取部２４は、デコードに失敗した場合、ステップＳ２０３の処理手順を行うようにしてもよい。
【００５３】
ステップＳ２０３で、ユーザ装置ＵＥのページング読取部２４は、報知情報の無線リソース情報に含まれている、ページングレコードに最大桁数（２１桁）のＩＭＳＩが格納された場合におけるページングメッセージのデータサイズに対応するＴＢＳを用いて、ページングメッセージをデコードする。なお、ユーザ装置ＵＥのページング読取部２４は、デコードに失敗した場合、ステップＳ２０２の処理手順を行うようにしてもよい。
【００５４】
図６（ｂ）は、呼出し情報にＩＭＳＩが格納される場合に、基地局ｅＮＢにおいてパディング処理がされていない場合の処理手順を示している。
【００５５】
ステップＳ３０１で、ユーザ装置ＵＥのページング読取部２４は、自身のＵＥＩＤが、Ｓ−ＴＭＳＩなのかＩＭＳＩなのかを判断する。Ｓ−ＴＭＳＩの場合、ステップＳ３０２に進み、ＩＭＳＩの場合、ステップＳ３０３に進む。
【００５６】
ステップＳ３０２で、ユーザ装置ＵＥのページング読取部２４は、報知情報の無線リソース情報に含まれている、ページングレコードにＳ−ＴＭＳＩが格納された場合におけるページングメッセージのデータサイズに対応するＴＢＳを用いて、ページングメッセージをデコードする。なお、ユーザ装置ＵＥのページング読取部２４は、デコードに失敗した場合、ステップＳ３０３及びステップＳ３０４の処理手順を行うようにしてもよい。
【００５７】
ステップＳ３０３で、ユーザ装置ＵＥのページング読取部２４は、報知情報の無線リソース情報に含まれている、ページングレコードに最大桁数（２１桁）のＩＭＳＩが格納された場合におけるページングメッセージのデータサイズに対応するＴＢＳと、自身のＩＭＳＩの桁数とを用いて、ページングメッセージのＴＢＳを算出する。
【００５８】
ステップＳ３０４で、ユーザ装置ＵＥのページング読取部２４は、ステップＳ３０３で算出したＴＢＳを用いて、ページングメッセージをデコードする。なお、ユーザ装置ＵＥのページング読取部２４は、デコードに失敗した場合、ステップＳ３０２の処理手順を行うようにしてもよい。図５に戻り説明を続ける。
【００５９】
ステップＳ１０３で、基地局ｅＮＢのページング部１４は、不特定ユーザ装置向け情報を含むページングメッセージを送信する。ページング部１４は、不特定ユーザ装置向け情報のデータサイズが最大データサイズ（２ｂｙｔｅ）未満の場合、当該ページングメッセージのＴＢＳが、不特定ユーザ装置向け情報のデータサイズが最大データサイズである場合におけるＴＢＳになるように、ＲＲＣ（Radio Resource Control）に規定されている処理方法に従ってパディングする（パディングビットを付加する）ようにする。
【００６０】
ユーザ装置ＵＥのページング読取部２４は、基地局ｅＮＢから送信された不特定ユーザ装置向け情報を含むページングメッセージを受信する。ページング読取部２４は、報知情報の無線リソース情報に含まれている、不特定ユーザ向け情報を含む１つのページングメッセージのＴＢＳを用いて、ページングメッセージをデコードする。
【００６１】
以上、実施の形態における移動通信システムにおいて、基地局ｅＮＢ及びユーザ装置ＵＥが行う処理手順について説明した。
【００６２】
＜まとめ＞
以上説明したように、実施の形態によれば、基地局と通信するユーザ装置であって、前記基地局から、特定のユーザ装置に対応づけられていない情報のみを含むページングメッセージが格納される第一の無線リソースと、呼出し情報のみを含むページングメッセージが格納される第二の無線リソースとを示す無線リソース情報を取得する取得手段と、前記第一の無線リソースをモニタすることで、前記基地局から、前記ページングメッセージに含まれる前記特定のユーザ装置に対応づけられていない情報を受信し、前記第二の無線リソースをモニタすることで、前記基地局から、前記ページングメッセージに含まれる前記呼出し情報を受信する受信手段と、を有するユーザ装置が提供される。このユーザ装置ＵＥにより、ＭＴＣ端末に向けたページングメッセージにおいて、信号量を削減することができる。
【００６３】
また、前記第一の無線リソースは、前記第二の無線リソースとは異なるサブフレームに割り当てられているようにしてもよい。この構成により、ＭＴＣ端末のようにある時間帯において特定の帯域幅（例えば１．４ＭＨｚ）のみで通信を行うことが想定されているユーザ装置ＵＥであっても、呼出し情報が含まれるページングメッセージと、不特定ユーザ向け情報を含むページングメッセージとを受信することができる。
【００６４】
また、前記第一の無線リソースと前記第二の無線リソースとは、当該ユーザ装置が属するグループごとに異なるサブフレームに割り当てられているようにしてもよい。この構成により、ページングメッセージを格納するための無線リソースに対して、効率的にページングメッセージを格納することが可能になる。
【００６５】
また、前記無線リソース情報は、前記特定のユーザ装置に対応づけられていない情報の最大データサイズに対応する第一のトランスポートブロックサイズを含み、前記受信手段は、前記特定のユーザ装置に対応づけられていない情報のみを含むページングメッセージを、前記第一のトランスポートブロックサイズを用いてデコードするようにしてもよい。この構成により、ユーザ装置ＵＥは、基地局ｅＮＢから、ＳＩ  ｍｏｄｉｆｉｃａｔｉｏｎ、ＥＡＢ  ｐａｒａｍｅｔｅｒ  ｍｏｄｉｆｉｃａｔｉｏｎ、ＥＴＷＳ  Ｉｎｄｉｃａｔｉｏｎ及びＣＭＡＳ  Ｉｎｄｉｃａｔｉｏｎが全て含まれたページングメッセージを受信することが出来ると共に、当該ページングメッセージを正しくデコードすることが可能になる。
【００６６】
また、前記無線リソース情報は、前記呼出し情報に最大桁数のＩＭＳＩが格納される場合に対応する第二のトランスポートブロックサイズと、前記呼出し情報にＳ−ＴＭＳＩが格納される場合における第三のトランスポートブロックサイズとを含み、前記受信手段は、当該ユーザ装置のＵＥＩＤがＩＭＳＩである場合、前記第二のトランスポートブロックサイズを用いて前記呼出し情報のみを含むページングメッセージをデコードし、当該ユーザ装置のＵＥＩＤがＳ−ＴＭＳＩである場合、前記第三のトランスポートブロックサイズを用いて前記呼出し情報のみを含むページングメッセージをデコードするようにしてもよい。この構成により、ページングレコードに含まれるＵＥＩＤのデータサイズが異なる場合であっても、ユーザ装置ＵＥは、正しくページングメッセージをデコードすることが可能になる。
【００６７】
また、前記受信手段は、前記第二のトランスポートブロックサイズを用いて前記ページングメッセージのデコードに失敗した場合、前記第三のトランスポートブロックサイズを用いて前記呼出し情報のみを含むページングメッセージをデコードし、前記第三のトランスポートブロックサイズを用いて前記呼出し情報のみを含むページングメッセージのデコードに失敗した場合、前記第二のトランスポートブロックサイズを用いて前記呼出し情報のみを含むページングメッセージをデコードするようにしてもよい。この構成により、ユーザ装置ＵＥは、ページングメッセージをデコードできる確率を高めることができる。
【００６８】
また、前記受信手段は、当該ユーザ装置のＵＥＩＤが最大桁数未満のＩＭＳＩである場合、前記第二のトランスポートブロックサイズと、当該ユーザ装置のＩＭＳＩの桁数とを用いて前記呼出し情報のみを含むページングメッセージのトランスポートブロックサイズを推測し、推測したトランスポートブロックサイズを用いて前記呼出し情報のみを含むページングメッセージをデコードするようにしてもよい。この構成により、ページングレコードに含まれるＵＥＩＤがＩＭＳＩである場合に、基地局ｅＮＢがパディング処理を行う必要がなく、ページングメッセージの信号量を削減することが可能になる。
【００６９】
また、以上説明したように、実施の形態によれば、ユーザ装置と通信する基地局であって、報知情報を用いて、特定のユーザ装置に対応づけられていない情報のみを含むページングメッセージを格納するための第一の無線リソースと、呼出し情報のみを含むページングメッセージが格納される第二の無線リソースとを示す無線リソース情報を送信する報知情報送信手段と、前記第一の無線リソースに、前記特定のユーザ装置に対応づけられていない情報を含むページングメッセージを格納し、前記第二の無線リソースに、前記呼出し情報を含むページングメッセージを格納して前記ユーザ装置に送信するページング送信手段と、を有する基地局が提供される。この基地局ｅＮＢにより、ＭＴＣ端末に向けたページングメッセージにおいて、信号量を削減することができる。
【００７０】
また、以上説明したように、実施の形態によれば、基地局と通信するユーザ装置が行うページングメッセージ受信方法であって、前記基地局から、特定のユーザ装置に対応づけられていない情報のみを含むページングメッセージが格納される第一の無線リソースと、呼出し情報のみを含むページングメッセージが格納される第二の無線リソースとを示す無線リソース情報を取得するステップと、前記第一の無線リソースをモニタすることで、前記基地局から、前記ページングメッセージに含まれる前記特定のユーザ装置に対応づけられていない情報を受信し、前記第二の無線リソースをモニタすることで、前記基地局から、前記ページングメッセージに含まれる前記呼出し情報を受信するステップと、を有するページングメッセージ受信方法が提供される。このページングメッセージ受信方法により、ＭＴＣ端末に向けたページングメッセージにおいて、信号量を削減することができる。
【００７１】
また、以上説明したように、実施の形態によれば、ユーザ装置と通信する基地局が行うページングメッセージ送信方法であって、報知情報を用いて、特定のユーザ装置に対応づけられていない情報のみを含むページングメッセージを格納するための第一の無線リソースと、呼出し情報のみを含むページングメッセージが格納される第二の無線リソースとを示す無線リソース情報を送信する報知情報送信ステップと、前記第一の無線リソースに、前記特定のユーザ装置に対応づけられていない情報を含むページングメッセージを格納し、前記第二の無線リソースに、前記呼出し情報を含むページングメッセージを格納して前記ユーザ装置に送信するページング送信ステップと、を有するページングメッセージ送信方法が提供される。このページングメッセージ送信方法により、ＭＴＣ端末に向けたページングメッセージにおいて、信号量を削減することができる。
【００７２】
＜実施形態の補足＞
本実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００７３】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７４】
本発明は上記実施形態に限定されず、本発明の精神から逸脱することなく、様々な変形例、修正例、代替例、置換例等が本発明に包含される。
【００７５】
なお、実施の形態において、信号受信部２２及び報知情報読取部２３は、取得手段の一例である。信号受信部２２及びページング読取部２４は受信手段の一例である。信号送信部１１及び報知部１３は、報知情報送信手段の一例である。信号送信部１１及びページング部１４はページング送信手段の一例である。
【符号の説明】
【００７６】
ｅＮＢ  基地局
ＵＥ  ユーザ装置
１１  信号送信部
１２  信号受信部
１３  報知部
１４  ページング部
２１  信号送信部
２２  信号受信部
２３  報知情報読取部
２４  ページング読取部
【図１】
2016219926.tif 000003
【図２】
2016219926.tif 000004
【図３】
2016219926.tif 000005
【図５】
2016219926.tif 000006
【図６】
2016219926.tif 000007
【図４】
2016219926.tif 000008